(57)【要約】【課題】治具挿入孔を端子挿入孔と一括して形成しつつ、フード部が大型化することを抑制する。【解決手段】雌側コネクタ４０が内部に嵌合可能なフード部６２が設けられた雄側ハウジング６１と、雄型端子５０とを備えた雄側コネクタ１０であって、雄型端子５０は、フード部６２の奥壁６２Ａに設けられた端子挿通孔６８からフード部６２の内部空間に電気接続部５１を突出させた形態で、雄側ハウジング６１の雄側キャビティ６４内に収容されて、この雄側キャビティ６４の内壁に設けられたランス６５によって後側から係止されることで、雄側ハウジング６１内に保持されており、フード部６２の奥壁６２Ａにおける端子挿通孔６８の開口縁には、フード部６２の奥壁６２Ａから突出した電気接続部５１の基端部を覆う立設壁６９が形成されており、立設壁６９には、ランス６５を前方に臨ませる治具挿入孔７３が形成されているところに特徴を有する。【選択図】図２
2014032861.tif 000002
【特許請求の範囲】
【請求項１】
雌側コネクタが内部に嵌合可能なフード部が設けられた雄側ハウジングと、前記雌側コネクタに設けられた雌型端子と接続される雄型端子とを備えた防水コネクタであって、
前記雄型端子は、前記フード部の奥壁に設けられた端子挿通孔から前記フード部の内部空間に突出した形態で、前記雄側ハウジングに形成されたキャビティ内に収容されて、このキャビティの内壁から嵌合方向前側に向かって片持ち状に延びる弾性変形可能なランスによって嵌合方向後側から係止されることで、前記雄側ハウジング内に保持されており、
前記フード部の奥壁における前記端子挿通孔の開口縁には、前記フード部の奥壁から突出した前記雄型端子の基端部を覆う立設壁が形成されており、
前記立設壁には、前記ランスの前方に位置する部分を嵌合方向に切り欠くことにより前記ランスを嵌合方向前側に臨ませる治具挿入孔が形成されている防水コネクタ。
【請求項２】
前記フード部の奥壁における前記端子挿通孔の開口縁は、矩形状に形成されており、
前記立設壁は、前記端子挿通孔の開口縁に対応するように角筒状に形成されている請求項１記載の防水コネクタ。
【請求項３】
前記立設壁は、前記フード部と前記雌側コネクタとが嵌合した際に、前記雌側コネクタに設けられた雌側キャビティ内に挿入されて、前記雌側キャビティの内周面に接触するようになっており、
前記治具挿入孔の開口縁は、前記フード部と前記雌側コネクタとが嵌合した際に、前記雌側キャビティの開口縁と嵌合方向に当接するように形成されている請求項１または請求項２記載の防水コネクタ。
【請求項４】
前記立設壁の基端部は、前記フード部の奥壁に向かうほど拡幅するテーパ状に形成されており、
前記治具挿入孔の開口縁に配された前記立設壁の基端部は、前記フード部と前記雌側コネクタとが嵌合した際に、前記雌側キャビティの開口縁に面接触するように形成されている請求項３記載の防水コネクタ。
【請求項５】
前記立設壁において、前記端子挿通孔の軸心を中心に前記治具挿入孔と対向する位置には、前記立設壁を嵌合方向と交差する方向に切り欠いた切欠孔が形成されており、
前記切欠孔の開口縁に配された前記立設壁の基端部は、前記フード部と前記雌側コネクタとが嵌合した際に、前記雌側キャビティの開口縁に面接触するように形成されている請求項４記載の防水コネクタ。
【発明の詳細な説明】
【技術分野】
【０００１】
本発明は、防水コネクタに関する。
【背景技術】
【０００２】
例えば、防水コネクタとして、下記特許文献１に記載のものが知られている。この防水コネクタは、雌側コネクタが内部に嵌合されるフード部を有する雄側ハウジングと、この雄側ハウジングに保持される雄型端子とを備えて構成されている。雄型端子は、フード部の奥壁に設けられた端子挿通孔からフード部の内部空間に突出した形態で雄側ハウジングに保持されている。また、フード部の奥壁における端子挿通孔の開口縁には、フード部の内部空間に突出した雄型端子の基端部を保護するように立設壁が全周に亘って形成されている。立設壁は、雄側ハウジングのフード部と雌側コネクタが嵌合すると、雌側コネクタの前壁に設けられたシール部材の貫通孔に挿入されて、立設壁が貫通孔の内周面に密着することで、フード部と雌側コネクタの前壁との間が防水されるようになっている。
【先行技術文献】
【特許文献】
【０００３】
【特許文献１】特開２００３−２９７４７９号公報
【発明の概要】
【発明が解決しようとする課題】
【０００４】
ところで、上記のような防水コネクタに、ランスによって後方から係止される雄型端子を適用させることが検討されている。
ところが、このような構成にすると、メンテナンス作業のために、雄型端子とランスとの係止状態を解除するランス操作用の治具を挿入する治具挿入孔をフード部の奥壁に形成することになる。しかしながら、治具挿入孔を端子挿通孔とともに一括して形成しようとすると、治具挿入孔を形成した分だけ立設壁が大型化してしまい、これに伴って、フード部も大型化してしまう。
【０００５】
本発明は上記のような事情に基づいて完成されたものであって、治具挿入孔を端子挿入孔と一括して形成しつつ、フード部が大型化することを抑制することを目的とする。
【課題を解決するための手段】
【０００６】
上記の目的を達成するための手段として本発明は、雌側コネクタが内部に嵌合可能なフード部が設けられた雄側ハウジングと、前記雌側コネクタに設けられた雌型端子と接続される雄型端子とを備えた防水コネクタであって、前記雄型端子は、前記フード部の奥壁に設けられた端子挿通孔から前記フード部の内部空間に突出した形態で、前記雄側ハウジングに形成されたキャビティ内に収容されて、このキャビティの内壁から嵌合方向前側に向かって片持ち状に延びる弾性変形可能なランスによって嵌合方向後側から係止されることで、前記雄側ハウジング内に保持されており、前記フード部の奥壁における前記端子挿通孔の開口縁には、前記フード部の奥壁から突出した前記雄型端子の基端部を覆う立設壁が形成されており、前記立設壁には、前記ランスの前方に位置する部分を嵌合方向に切り欠くことにより前記ランスを嵌合方向前側に臨ませる治具挿入孔が形成されているところに特徴を有する。
このような構成の防水コネクタによると、治具挿入孔を端子挿入孔と一括して形成することができ、嵌合方向前側から治具挿入孔を通じて、ランスを操作する治具を挿入することができる。これにより、治具挿入孔と端子挿通孔とを一括して形成しつつも、治具挿入孔が形成された分だけ立設壁が大型化することを抑制することができる。この結果、フード部が大型化することを抑制することができる。
【０００７】
本発明の実施の態様として、以下の構成が好ましい。
前記フード部の奥壁における前記端子挿通孔の開口縁は、矩形状に形成されており、前記立設壁は、前記端子挿通孔の開口縁に対応するように角筒状に形成されている構成としてもよい。ここで、「矩形状」とは、角部が鋭角な矩形のみならず、矩形の角部が僅かに丸みを帯びたものも含むことを意味し、「角筒状」とは、角部が鋭角な角筒のみならず、角部が僅かに丸みを帯びたものも含むことを意味する。
矩形状の端子挿通孔の開口縁に対して、端子挿入孔を塞がないように、立設壁を円筒状に形成すると、立設壁の内周面と端子挿入孔の開口縁との間には、円弧状のギャップが形成されてしまい、その円弧状のギャップの分だけ、立設壁が無駄に大型化してしまう。ところが、上記の構成によると、立設壁が端子挿通孔の開口縁に対応するように角筒状に形成されていることから、端子挿入孔の開口縁と立設壁との間にギャップが生じることを防ぐことができる。これにより、立設壁を円筒状に形成する場合に比べて、立設壁を小型化することができる。ひいては、フード部が大型化することを抑制することができる。
【０００８】
前記立設壁は、前記フード部と前記雌側コネクタとが嵌合した際に、前記雌側コネクタに設けられた雌側キャビティ内に挿入されて、前記雌側キャビティの内周面に接触するようになっており、前記治具挿入孔の開口縁は、前記フード部と前記雌側コネクタとが嵌合した際に、前記雌側キャビティの開口縁と嵌合方向に当接するように形成されている構成としてもよい。
このような構成によると、立設壁と雌側キャビティの内周面とを接触させると共に、治具挿入孔の開口縁を雌側キャビティの開口縁に当接させることで、立設壁と雌側コネクタとの間をシールすることができる。これにより、立設壁やフード部が大型化することを抑制しつつ、さらにキャビティを個別に防水することができる。
【０００９】
前記立設壁の基端部は、前記フード部の奥壁に向かうほど拡幅するテーパ状に形成されており、前記治具挿入孔の開口縁に配された前記立設壁の基端部は、前記フード部と前記雌側コネクタとが嵌合した際に、前記雌側キャビティの開口縁に面接触するように形成されている構成としてもよい。
このような構成によると、治具挿入孔が形成された立設壁の基端部を雌側キャビティの開口縁に面接触させることにより、キャビティの外側とキャビティの内側との間の距離を大きくすることができる。これにより、キャビティの外側から治具挿入孔を通じてキャビティの内側に水が浸入することをより確実に防ぐことができる。
【００１０】
前記立設壁において、前記端子挿通孔の軸心を中心に前記治具挿入孔と反対側の位置には、前記立設壁を嵌合方向と交差する方向に切り欠いた切欠孔が形成されており、前記切欠孔の開口縁に配された前記立設壁の基端部は、前記フード部と前記雌側コネクタとが嵌合した際に、前記雌側キャビティの開口縁に面接触するように形成されている構成としてもよい。
このような構成によると、治具挿入孔側だけでなく、治具挿入孔とは反対側にも切欠孔を形成しているので、立設壁を切り欠いた分だけ、治具挿入孔および切欠孔が並んだ方向に立設壁をさらに小型化することができる。これにより、立設壁およびフード部が大型化することをさらに抑制することができる。また、切欠孔においても、切欠孔が形成された立設壁の基端部を雌側キャビティの開口縁に面接触させていることから、切欠孔からキャビティ内に水が浸入することを防ぐことができる。
【発明の効果】
【００１１】
本発明によれば、治具挿入孔を端子挿入孔と一括して形成しつつ、フード部が大型化することを抑制することができる。
【図面の簡単な説明】
【００１２】
【図１】雄側コネクタと雌側コネクタとが嵌合する前の状態を示す断面図
【図２】雄側コネクタと雌側コネクタとが嵌合した状態を示す断面図
【図３】雄側ハウジングの正面図
【図４】雌側ハウジングの正面図
【発明を実施するための形態】
【００１３】
＜実施形態＞
本発明の実施形態について図１乃至図４を参照して説明する。
本実施形態の防水コネクタは、複数の雄型端子５０を収容して、雌側コネクタ４０と嵌合される雄側コネクタ１０を例示している。なお、以下の説明において、上下方向とは、図１における上下方向を基準とし、前後方向とは、図１における雌側コネクタ４０と雄側コネクタ１０との嵌合方向を基準として、互いに嵌合する側を前側とする。
【００１４】
雌側コネクタ４０は、図１および図２に示すように、複数の雌型端子２０を収容する雌側ハウジング４１と、雌側ハウジング４１の上面に上下方向に弾性変形可能に設けられたロックアーム４２とを有している。
雌型端子２０は、導電性に優れた金属板材をプレス加工することにより形成されており、角筒状の接続筒部２１と、接続筒部２１の後方に設けられた電線圧着部２２とを備えて構成されている。接続筒部２１は前後方向に開口しており、前側開口から雄側コネクタ１０の雄型端子５０が挿入されることで、雄型端子５０と電気的に接続されるようになっている。電線圧着部２２は、前後一対ずつの計４つかしめ片２３を有している。前側のかしめ片２３が電線Ｗの端末において露出された芯線に圧着され、後側のかしめ片２３が電線Ｗに外嵌された円筒状のゴム栓Ｇに圧着されることにより、雌型端子２０が電線Ｗの端末に接続されている。
【００１５】
雌側ハウジング４１は、前後方向に長いブロック状をなしており、雌側ハウジング４１の内部には、前後方向に貫通する雌側キャビティ４３が複数形成されている。雌側キャビティ４３の上側内壁には、斜め下前方に向かって延びる片持ち状の端子係止部４４が形成されている。端子係止部４４は、雌側キャビティ４３内に挿入された雌型端子２０を後方から係止することで、雌型端子２０を雌側ハウジング４１内に保持している。また、雌型端子２０が雌側ハウジング４１内に収容されると、電線Ｗに装着されたゴム栓Ｇが雌側キャビティ４３の後側内周面に密着して、各雌側キャビティ４３の後側開口から内部に水が浸入することが防止される。
【００１６】
雌側キャビティ４３の前側開口縁は、図４に示すように、略矩形状をなしており、雌側キャビティ４３の前側開口縁には、前側に向かうほど拡幅するテーパ状の案内面４５が全周に亘って形成されている。この案内面４５は、雄側コネクタ１０と雌側コネクタ４０とを嵌合させる際に、雄型端子５０の後述する電気接続部５１を雌側キャビティ４３内の雌型端子２０に案内し、図２に示すように、雄型端子５０を接続筒部２１に挿入させるようになっている。これにより、雄型端子５０と雌型端子２０とが電気的に接続される。
【００１７】
ロックアーム４２は、図１および図２に示すように、前後方向に長い平板状に形成されており、ロックアーム４２の前後方向略中央部を支点としてシーソー状に弾性変形可能とされている。また、ロックアーム４２の前部には、ロックアーム４２を上下方向に貫通するロック孔４６が形成されている。
【００１８】
雄側コネクタ１０は、複数の雄型端子５０を内部に収容する雄側ハウジング６１を備えている。
雄型端子５０は、雌型端子２０の接続筒部２１に挿入される細長いピン状の電気接続部５１と、電気接続部５１の後方に設けられた筒状の端子本体部５２と、端子本体部５２の後方に設けられた電線圧着部５３とを備えて構成されている。
【００１９】
端子本体部５２は、前後方向に長い箱形状をなし、端子本体部５２の上部には、端子本体部５２の上面における前後方向略中央部を一段下げることにより、端子本体部５２の前部にランス係止部５４が形成されている。また、端子本体部５２の下面における幅方向略中央部には、前側に切り立った面を有する係止突起５５が突設されている。
【００２０】
電線圧着部５３は、前後一対ずつの計４つかしめ片５６を有している。前側のかしめ片５６が電線Ｗの端末において露出された芯線に圧着され、後側のかしめ片５６が電線Ｗに外嵌された円筒状のゴム栓Ｇに圧着されることにより、雄型端子５０が電線Ｗの端末に接続されている。
【００２１】
雄側ハウジング６１は、前側が雌側ハウジング４１を内部に嵌合するフード部６２とされ、後側が前後方向に長いブロック状の端子収容部６３とされている。端子収容部６３の内部には、雄型端子５０を後方から収容する複数の雄側キャビティ６４が形成されている。雄側キャビティ６４は、上下二段に構成されており、各雄側キャビティ６４の前端部における上側内壁には、斜め前下方に向かって延びる片持ち状のランス６５が形成されている。このランス６５は、ランス６５の上方に形成された撓み空間Ｓに向かって弾性変形可能とされている。ランス６５は、雄型端子５０が雄側キャビティ６４内に挿入される際に、雄型端子５０の端子本体部５２によって上方に押圧されることで撓み空間Ｓに向かって弾性変形する。そして、雄型端子５０が雄側キャビティ６４に対して正規の位置まで挿入されると、端子本体部５２による押圧状態が解除され、ランス６５が弾性復帰することで端子本体部５２のランス係止部５４が後方からランス６５によって係止される。これにより、雄型端子５０が後方に抜止された状態で端子収容部６３内に保持されるようになっている。
【００２２】
また、雄側キャビティ６４の底壁における幅方向略中央部には、端子本体部５２の係止突起５５が通過可能な逃がし溝６６が形成され、この逃がし溝６６の前方に係止突起５５を前方から係止する前止まり部６７が形成されている。このため、雄側キャビティ６４内に雄型端子５０が挿入されると、係止突起５５が逃がし溝６６内を通過し、雄型端子５０が正規の位置まで挿入されると前止まり部６７によって係止突起５５が前方から係止される。これにより、雄型端子５０が前止まりされた状態で端子収容部６３内に保持される。
【００２３】
フード部６２は、図１乃至図３に示すように、前方に向かって開口した形態をなし、フード部６２の奥壁６２Ａには、前後方向に貫通する複数の端子挿通孔６８が複数形成されている。各端子挿通孔６８は、端子収容部６３の各雄側キャビティ６４と連通するように前方に向かって略矩形状に開口して形成されている。そして、端子収容部６３内に雄型端子５０が収容されると、雄型端子５０の電気接続部５１が端子挿通孔６８に挿通され、電気接続部５１がフード部６２の奥壁６２Ａからフード部６２の内部空間に向かって突出するようになっている。
【００２４】
フード部６２の奥壁６２Ａにおける端子挿通孔６８の開口縁には、フード部６２内に突出した電気接続部５１の基端部を覆う立設壁６９が形成されている。立設壁６９は、フード部６２の奥壁６２Ａから前方に向かうほど先細りとなるテーパ状のテーパ部７０と、テーパ部７０から前方に向かって延びる延出部７１とを備えて構成されている。
テーパ部７０は、端子挿通孔６８の開口縁を全周に亘って囲むように略角筒状に形成されており、テーパ部７０の前端縁に延出部７１が形成されている。
【００２５】
ところで、例えば、矩形状の端子挿通孔の開口縁に対して、端子挿入孔を塞がないように、立設壁を円筒状に形成すると、立設壁の内周面と端子挿入孔の開口縁との間には、円弧状のギャップが形成されてしまい、その円弧状のギャップの分だけ、立設壁が無駄に大型化してしまう。
【００２６】
ところが、本実施形態によると、立設壁６９のテーパ部７０が端子挿通孔６８の略矩形状の開口縁に対応するように略角筒状に形成されていることから、端子挿通孔６８の開口縁とテーパ部７０との間にギャップが生じることを防ぐことができる。これにより、立設壁を円弧状に形成する場合に比べて、立設壁６９が上下方向および幅方向に大型化することを抑制することができる。
【００２７】
また、立設壁６９は、図２に示すように、フード部６２内に雌側ハウジング４１が嵌合されると、電気接続部５１と共に、雌側ハウジング４１の雌側キャビティ４３内に挿入されるようになっている。そして、フード部６２と雌側ハウジング４１とが正規の嵌合状態に至ると、延出部７１の外周面と雌側キャビティ４３の内周面とが面接触する。また、これと同時に、電気接続部５１が雌型端子２０の接続筒部２１内に挿入され、雄型端子５０と雌型端子２０とが電気的に接続される。
【００２８】
フード部６２の上面には、雌側コネクタ４０のロックアーム４２におけるロック孔４６に嵌まり込むロック突起７２が形成されており、フード部６２と雌側ハウジング４１とが正規の嵌合状態に至ると、ロック孔４６に弾性的に嵌まり込み、フード部６２と雌側ハウジング４１とを嵌合状態にロックするようになっている。  
【００２９】
さて、各立設壁６９の上部には、図１乃至図３に示すように、ランス操作用の治具（図示せず）を挿入する治具挿入孔７３が形成されている。治具挿入孔７３は、雄側キャビティ６４内のランス６５およびランス６５の撓み空間Ｓの前方に配された端子挿通孔６８の上側内壁と立設壁６９の上側内壁とを前後方向（嵌合方向）に切り欠くことで形成されており、立設壁６９の上側のテーパ部７０の前端面に開口した形態とされている。
立設壁６９の上側内壁に形成された治具挿入孔７３は、上側のテーパ部７０の上側内壁を切り欠くとともに、上側のテーパ部７０から前方に延びる上側の延出部７１を全て切り欠くことによって形成されており、雄側キャビティ６４内のランス６５およびランス６５の撓み空間Ｓが治具挿入孔７３を通じて前方に臨んだ状態となっている。すなわち、立設壁６９の内側に治具挿入孔７３と端子挿通孔６８とが一括して形成されており、立設壁６９は上側の延出部７１を切り欠いた分だけ上下方向に小型化されている。
【００３０】
また、各立設壁６９の下部には、切欠孔７４が形成されている。切欠孔７４は、端子挿通孔６８の軸心を中心に治具挿入孔７３と反対側の位置に配されている。この切欠孔７４は、下側のテーパ部７０の下側内壁を切り欠くとともに、下側のテーパ部７０から前方に延びる下側の延出部７１を上下方向に全て切り欠くことによって形成されており、立設壁６９の下側のテーパ部７０の前端面に開口した形態とされている。これにより、立設壁６９が下側の突出部を取り除いた分だけ、上下方向に小型化されている。そして、各立設壁６９における上下両側の延出部７１を全て切り欠いたことにより、雄側キャビティ６４間のピッチが格段に小さく設定されている。
【００３１】
治具挿入孔７３が形成された上側のテーパ部（治具挿入孔７３の開口縁）７０は、フード部６２と雌側ハウジング４１とが正規の嵌合状態に至ると、雌側キャビティ４３の開口縁に設けられた案内面４５の上側縁と面接触するように設定されている。また、切欠孔７４が形成された下側のテーパ部（切欠孔７４の開口縁）７０は、フード部６２と雌側ハウジング４１とが正規の嵌合状態に至ると、雌側キャビティ４３の開口縁に設けられた案内面４５の下側縁と面接触するように設定されている。すなわち、フード部６２と雌側ハウジング４１とが正規の嵌合状態に至ると、治具挿入孔７３の開口縁および切欠孔７４の開口縁が雌側キャビティ４３の案内面４５によって塞がれるようになっている。
【００３２】
本実施形態の雄側コネクタ１０は以上のような構成であって、続いてその作用効果を説明する。
例えば、フード部の奥壁における端子挿通孔の開口縁に、立設壁が形成されたコネクタにおいて、端子挿通孔の奥部に配されたランスを操作するための治具挿入孔を端子挿通孔とともに一括して形成しようとすると、治具挿入孔を形成した分だけ立設壁が大型化してしまい、これに伴ってフード部も大型化してしまう。
【００３３】
ところが、本実施形態の雄側コネクタ１０によると、図１乃至図３に示すように、立設壁６９の上側のテーパ部７０の上側内壁を切り欠くと共に、立設壁６９の上側の延出部７１を全て切り欠くことにより、治具挿入孔７３を形成している。これにより、立設壁６９の内側に治具挿入孔７３と端子挿通孔６８とを一括して形成しつつ、上側の延出部７１を切り欠いた分だけ立設壁６９が上下方向に大型化することを抑制することができる。そして、メンテナンス作業の際には、雄側ハウジング６１の前方から治具挿入孔７３を通じてランス６５を操作し、端子収容部６３内のランス６５と雄型端子５０のランス係止部５４との係止状態を解除することができる。
【００３４】
また、本実施形態によると、立設壁６９の下側の位置においても、切欠孔７４を形成して、立設壁６９の下側の延出部７１を全て切り欠いていることから、立設壁６９が大型化することをさらに抑制することができる。さらに、各立設壁６９における上下方向の延出部７１を全て切り欠いたから、雄側キャビティ６４間のピッチを格段に小さくすることができ、結果としてフード部６２を小型化することができる。
【００３５】
ところで、上記のように、立設壁６９に治具挿入孔７３および切欠孔７４を形成すると、上側の延出部７１および下側の延出部７１が切り欠かれてしまい、治具挿入孔７３の開口縁と切欠孔７４の開口縁から水が両キャビティ４３，６４内に浸入することが懸念される。
【００３６】
ところが、本実施形態によると、フード部６２と雌側ハウジング４１とが正規の嵌合状態に至ると、治具挿入孔７３が形成された上側のテーパ部（治具挿入孔７３の開口縁）７０および切欠孔７４が形成された下側のテーパ部（切欠孔７４の開口縁）７０が雌側キャビティ４３の開口縁に設けられた案内面４５と面接触して、治具挿入孔７３の開口縁および切欠孔７４の開口縁が塞がれる。
すなわち、フード部６２と雌側ハウジング４１とが正規の嵌合状態に至ると、立設壁６９の幅方向両側において、延出部７１が雌側ハウジング４１の雌側キャビティ４３内に挿入されて、延出部７１の外周面と雌側キャビティ４３の内周面とが面接触する。また、これと同時に、立設壁６９の上下方向両側において、上側のテーパ部（治具挿入孔７３の開口縁）７０および下側のテーパ部（切欠孔７４の開口縁）７０が雌側キャビティ４３の案内面４５と面接触する。これにより、立設壁６９が大型化することを抑制しつつ、両ハウジング４１，６１の隙間から両キャビティ４３，６４内に水が浸入しないように両ハウジング４１，６１間をシールし、各キャビティ４３，６４を個別に防水することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、雄側キャビティを上下二段に構成したが、本発明はこのような態様に限定されるものではなく、例えば、雄側キャビティを上下一段や上下三段以上に構成してもよい。
（２）上記実施形態では、立設壁６９の下部に切欠孔７４を構成したが、本発明はこのような態様に限定されるものではなく、例えば、立設壁に切欠孔を設けず、下側のシール部が設けられた構成にしてもよい。
（３）上記実施形態では、立設壁６９の上側のテーパ部７０の上側内壁に治具挿入孔７３が形成された構成にしたが、本発明はこのような態様に限定されるものではなく、例えば、上側のテーパ部を全て切り欠いた構成にしてもよい。
【符号の説明】
【００３８】
１０：雄側コネクタ（防水コネクタ）
２０：雌型端子
４０：雌側コネクタ
４３：雌側キャビティ
５０：雄型端子
６１：雄側ハウジング
６２：フード部
６４：雄側キャビティ（キャビティ）
６５：ランス
６８：端子挿通孔
６９：立設壁
７３：治具挿入孔
７４：切欠孔
【図１】
2014032861.tif 000003
【図２】
2014032861.tif 000004
【図３】
2014032861.tif 000005
【図４】
2014032861.tif 000006